(57)【特許請求の範囲】
【請求項１】
メーリングリストサービスの登録ユーザから投稿された電子メールのデータをデータベースに蓄積し、蓄積された電子メールのデータを登録ユーザからの閲覧要求に応じて提供する機能を有するメーリングシステム用のサーバであって、
電子メールにおける秘匿対象の文字列の情報を含むプロファイル情報を登録ユーザ毎に記憶する手段と、
閲覧が要求された電子メールのデータを取得し、当該電子メールの発信元ユーザのメーリングリストサービスからの退会時期に基づいて所定の置換処理を行うか否かを判別する判別手段と、
前記置換処理を行うと判別された場合、前記閲覧が要求された電子メールのデータについて、前記発信元ユーザの前記プロファイル情報が示す秘匿対象の文字列を他の文字列に置換する置換手段と、
前記置換手段により秘匿対象の文字列が他の文字列に置換された電子メールのデータを出力する手段と、
を備えることを特徴とするメーリングシステム用サーバ。
【請求項２】
前記電子メールにおける秘匿対象の文字列についての指定を登録ユーザから受け付け、受付内容に基づいて前記プロファイル情報を生成する、
ことを特徴とする請求項１に記載のメーリングシステム用サーバ。
【請求項３】
登録ユーザのメーリングリストサービスからの退会時期を示す情報を取得する手段と、
前記置換処理の実行時期についての指定を登録ユーザから受け付けて登録する手段と、をさらに備え、
前記判別手段は、前記発信元ユーザの退会時期を示す情報と、前記発信元ユーザによる前記置換処理の実行時期についての指定内容とに基づいて、前記置換処理を行うか否かを判別する、
ことを特徴とする請求項１又は２に記載のメーリングシステム用サーバ。
【請求項４】
コンピュータを、
メーリングリストサービスの登録ユーザから投稿された電子メールのデータを蓄積し、蓄積された電子メールのデータを登録ユーザからの閲覧要求に応じて提供する機能を有するメーリングシステム用のサーバとして機能させるためのプログラムであって、
電子メールにおける秘匿対象の文字列の情報を含むプロファイル情報を登録ユーザ毎に記憶する手段、
閲覧が要求された電子メールのデータを取得し、当該電子メールの発信元ユーザのメーリングリストサービスからの退会時期に基づいて所定の置換処理を行うか否かを判別する判別手段、
前記置換処理を行うと判別された場合、前記閲覧が要求された電子メールのデータについて、前記発信元ユーザの前記プロファイル情報が示す秘匿対象の文字列を他の文字列に置換する置換手段、
前記置換手段により秘匿対象の文字列が他の文字列に置換された電子メールのデータを出力する手段、
として機能させるためのプログラム。
【発明の詳細な説明】
【０００１】
【発明の属する技術分野】
この発明は、メーリングリストに登録された複数ユーザに対して同じ内容の電子メールを配信するメーリングリストサービスを提供するメーリングシステムに関する。
【０００２】
【従来の技術】
従来、インターネットの電子メール機能により複数のユーザに同じ内容の電子メールを配信するメーリングリストサービスが知られている。このメーリングリストサービスには、ニュースレター配信型とＢＢＳ（電子掲示板）型の二種類のサービスがある。このうち後者のメーリングリストサービスでは、メーリングリストに登録された一ユーザから投稿されたメールを、メーリングリストに登録された複数ユーザに対して一斉に配信する。
【０００３】
【発明が解決しようとする課題】
上記のＢＢＳ型のメーリングリストサービスでは、メーリングリストの登録ユーザは、過去に投稿された電子メールを閲覧することが可能である。
このため、例えばすでに退会したユーザにより過去に投稿された電子メールの内容を、新たな登録ユーザが閲覧する場合もあり得る。
このような場合、ユーザがメーリングサービスを退会した後に、そのユーザにより投稿された電子メールに記載された個人的な情報がユーザ自身の知らないところで他者に閲覧される可能性があり、退会したユーザのプライバシーが保護されない虞があった。
【０００４】
この発明は、上記実状に鑑みてなされたものであり、メーリングリストサービスを提供するメーリングシステムにおいて、ユーザのプライバシーを保護することができるメーリングリスト用サーバを提供することを目的とする。
【０００５】
【課題を解決するための手段】
上記目的を達成するため、この発明の第１の観点に係るメーリングシステム用サーバは、
メーリングリストサービスの登録ユーザから投稿された電子メールのデータをデータベースに蓄積し、蓄積された電子メールのデータを登録ユーザからの閲覧要求に応じて提供する機能を有するメーリングシステム用のサーバであって、
電子メールにおける秘匿対象の文字列の情報を含むプロファイル情報を登録ユーザ毎に記憶する手段と、
閲覧が要求された電子メールのデータを取得し、当該電子メールの発信元ユーザのメーリングリストサービスからの退会時期に基づいて所定の置換処理を行うか否かを判別する判別手段と、
前記置換処理を行うと判別された場合、前記閲覧が要求された電子メールのデータについて、前記発信元ユーザの前記プロファイル情報が示す秘匿対象の文字列を他の文字列に置換する置換手段と、
前記置換手段により秘匿対象の文字列が他の文字列に置換された電子メールのデータを出力する手段と、
を備えることを特徴とする。
【０００６】
この発明によれば、メーリングリストサービスから退会したユーザにより過去に投稿された電子メールについて閲覧要求があった場合、例えば実名、住所、メールアドレス等の個人的な情報について秘匿化（匿名化）することができるため、ユーザのプライバシーを守り、ひいては円滑なコミュニティを実現することが可能なメーリングリストサービスを提供することができる。
【０００７】
前記電子メールにおける秘匿対象の文字列についての指定を登録ユーザから受け付け、受付内容に基づいて前記プロファイル情報を生成するようにしてもよい。
これにより、各ユーザが指定した文字列について秘匿化（匿名化）することができるため、ユーザのプライバシーを守り、ひいては円滑なコミュニティを実現することが可能なメーリングリストサービスを提供することができる。
【０００８】
登録ユーザのメーリングリストサービスからの退会時期を示す情報を取得する手段と、
前記置換処理の実行時期についての指定を登録ユーザから受け付けて登録する手段と、をさらに備えてもよく、
前記判別手段は、前記発信元ユーザの退会時期を示す情報と、前記発信元ユーザによる前記置換処理の実行時期についての指定内容と、に基づいて、前記置換処理を行うか否かを判別するようにしてもよい。
これにより、各ユーザは自己が過去に投稿した電子メールが秘匿化（匿名化）される時期を例えば「退会から６ヶ月後」のように自由に設定することができるため、柔軟なサービスの提供が可能となる。
【０００９】
この発明の第２の観点に係るプログラムは、
コンピュータを、
メーリングリストサービスの登録ユーザから投稿された電子メールのデータを蓄積し、蓄積された電子メールのデータを登録ユーザからの閲覧要求に応じて提供する機能を有するメーリングシステム用のサーバとして機能させるためのプログラムであって、
電子メールにおける秘匿対象の文字列の情報を含むプロファイル情報を登録ユーザ毎に記憶する手段、
閲覧が要求された電子メールのデータを取得し、当該電子メールの発信元ユーザのメーリングリストサービスからの退会時期に基づいて所定の置換処理を行うか否かを判別する判別手段、
前記置換処理を行うと判別された場合、前記閲覧が要求された電子メールのデータについて、前記発信元ユーザの前記プロファイル情報が示す秘匿対象の文字列を他の文字列に置換する置換手段、
前記置換手段により秘匿対象の文字列が他の文字列に置換された電子メールのデータを出力する手段、
として機能させることを特徴とする。
【００１０】
【発明の実施の形態】
以下、本発明の実施の形態に係るメーリングシステムについて図面を参照して説明する。
【００１１】
図１はこの発明の実施の形態に係るメーリングシステムの構成を示す図である。
図示するように、このメーリングシステムは、ネットワーク１０を介して相互に接続される複数のクライアント１１と、メーリングリスト管理サーバ１３と、メーリングリスト匿名化サーバ１５と、を備えている。
【００１２】
ネットワーク１０は、移動体通信網、電話回線、インターネット等から構成され、クライアント１１とメーリングリスト管理サーバ１３とメーリングリスト匿名化サーバ１５との間で情報の送受信を可能とするためのものである。
【００１３】
クライアント１１は、例えば、制御部、表示部、入力部、記憶部、通信部等を備えるコンピュータ等から構成される。クライアント１１の制御部は、記憶部に記憶される動作プログラムを実行することによって、ネットワーク１０を介して、Ｗｅｂページの閲覧、所定のメールサーバ（図示せず）に設けられたメールボックスに格納されている電子メールの閲覧、電子メールの送信等の処理を実行することができる。
【００１４】
メーリングリスト管理サーバ１３は、例えば図２に示すように、制御部１３１と、記憶部１３２と、通信制御部１３３と、を備えるコンピュータ等から構成される。
【００１５】
制御部１３１は、記憶部１３２に記憶される動作プログラム等を実行することによりメール処理部１３１ａを実現する。
メール処理部１３１ａは、メーリングリストの登録、電子メールの投稿の受付、投稿されたメールの記憶部１３２への蓄積記憶、投稿された電子メールの登録ユーザへの同報送信等の従来のメーリングシステムと同様のメーリングリストに関する処理を行う。
【００１６】
また、メール処理部１３１ａは、クライアント１１からの過去の電子メールについての閲覧要求に応答して、該当する電子メールのデータを記憶部１３２から読み出してメーリングリスト匿名化サーバ１５に受け渡す。そして、メーリングリスト匿名化サーバ１５により所定の処理が施された電子メールのデータを受け取り、その電子メールの内容を表示する画面情報を要求元のクライアント１１に供給する。
【００１７】
記憶部１３２は、制御部１３１が実行する動作プログラムや、処理に必要な各種のデータを記憶する。また、記憶部１３２は、メーリングリストＤＢ１３２ａ、過去メールＤＢ１３２ｂ等を備える。
メーリングリストＤＢ１３２ａには、メーリングリストに登録されたユーザのメールアドレス等のデータが記憶される。
過去メールＤＢ１３２ｂには、登録ユーザにより投稿された電子メール等のデータが記憶される。
【００１８】
通信制御部１３３は、ネットワーク１０を介してクライアント１１、メーリングリスト匿名化サーバ１５等との間でデータ通信を行うためのものである。
【００１９】
メーリングリスト匿名化サーバ１５は、例えば図３に示すように、制御部１５１と、記憶部１５２と、通信制御部１５３と、を備えるコンピュータ等から構成される。
【００２０】
制御部１５１は、記憶部１５２に記憶される動作プログラム等を実行することによりプロファイル処理部１５１ａと匿名化処理部１５１ｂを実現する。
【００２１】
プロファイル処理部１５１ａは、クライアント１１からのプロファイルの登録要求に応答し、後述するプロファイル情報を生成するために必要なデータ項目を入力させるための入力画面をクライアント１１に供給する。クライアント１１に供給される入力画面は、例えば図４に示すように、ユーザの氏名、住所、メールアドレス、パスワード等の個人情報と、匿名化の要否と、匿名の有効期間と、匿名にしたい文字列（匿名対象キーワード）及びその匿名対象キーワードと置き換えたい文字列（置換キーワード）等の入力項目を備える。そして、プロファイル処理部１５１ａは、クライアント１１から受信した入力データに基づいてユーザのプロファイル情報を生成し、記憶部１５２に登録する。
【００２２】
また、プロファイル処理部１５１ａは、メーリングリストサービスの退会要求をユーザから受け付けるサーバ等から、ユーザの退会に関する情報（例えば、退会したユーザのメールアドレス、退会日等）を取得し、記憶部１５２に記憶されるプロファイル情報のうち、該当するユーザのプロファイル情報に退会日等を設定する。
【００２３】
匿名化処理部１５１ｂは、メーリングリスト管理サーバ１３からの匿名化要求に応答して、記憶部１５２に登録されているプロファイル情報を参照し、処理対象の電子メールのデータについて、匿名化の要否を判別する。そして、匿名化の必要がある場合にはその電子メールのデータの一部を匿名化してメーリングリスト管理サーバ１３に返信し、また、匿名化の必要がない場合にはそのままメーリングリスト管理サーバ１３に返信する。
【００２４】
記憶部１５２は、制御部１５１が実行する動作プログラムや、処理に必要な各種のデータを記憶する。また、記憶部１５２は、プロファイルＤＢ１５２ａ等を備える。
【００２５】
プロファイルＤＢ１５２ａは、各ユーザのプロファイル情報を記憶する。プロファイル情報は、例えば図５に示すように、名前、住所、メールアドレス、パスワード等の個人情報と、匿名化の要否と、メーリングサービスの退会日と、匿名期間と、匿名対象キーワード及びこれに対応する置換キーワード等の情報を含む。
【００２６】
通信制御部１５３は、ネットワーク１０を介してクライアント１１、メーリングリスト管理サーバ１３等との間でデータ通信を行うためのものである。
【００２７】
以下に、本発明の実施の形態に係るメーリングシステムの動作について本発明の特徴部分を中心に説明する。
【００２８】
まず、本実施形態におけるメーリングシステムによるメーリングリストサービスに入会したユーザが自己のプロファイルを登録するための処理について、図６を参照して説明する。
例えば本メーリングサービスに加入したユーザＡは、クライアント１１から、メーリングリスト匿名化サーバ１５によるプロファイルを登録するためのサイトにアクセスし、例えば図４に示すような入力画面に、自己の氏名、住所、メールアドレス、パスワード、匿名の要否、匿名の有効期間、匿名内容（匿名対象キーワード、置換キーワード）等の情報を入力する。クライアント１１は入力データをメーリングリスト匿名化サーバ１５に送信する（Ｌ１１）。
メーリングリスト匿名化サーバ１５は、クライアント１１から受信した入力データに基づいてプロファイル情報を生成し、プロファイルＤＢ１５２ａに記憶する（Ｌ１２）。これにより、ユーザＡのプロファイルの登録が完了する。
【００２９】
次に、過去に投稿された電子メールを登録ユーザが閲覧する場合の処理について、図７を参照して説明する。
例えばユーザＢはクライアント１１から、メーリングリスト管理サーバ１３による過去の電子メールを閲覧するためのサイトにアクセスし、閲覧したい電子メールを指定する（Ｌ２１）。ここで、例えば、既に退会したユーザＡの投稿メールが指定されたこととする。
メーリングリスト管理サーバ１３は、指定されたユーザＡの電子メールのデータを過去メールＤＢ１３２ｂから読み出し、匿名化要求とともにメーリングリスト匿名化サーバ１５に送信する（Ｌ２２）。
【００３０】
メーリングリスト匿名化サーバ１５は、受信したユーザＡの電子メールのデータについて匿名化の要否の判別をし、必要に応じて電子メールのデータの一部を匿名化して、処理後の電子メールのデータをメーリングリスト管理サーバ１３に送信する匿名化処理を行う（Ｌ２３）。
【００３１】
ここで、この匿名化処理の詳細について図８のフローチャートを参照して説明する。
まず、メーリングリスト匿名化サーバ１５は、受信した電子メールのデータについて、その発信者であるユーザＡのメールアドレス等をキーとして、これに対応するプロファイル情報をプロファイルＤＢ１５２ａから読み出す（ステップＳ１０）。
そして、読み出したプロファイル情報について、匿名化が必要と設定されているか否かを判別する（ステップＳ１１）。この例では、ユーザＡのプロファイル情報には匿名化が必要であると設定されていることとする。
【００３２】
ステップＳ１１で匿名化が必要である旨が設定されていると判別された場合、メーリングリスト匿名化サーバ１５は、ユーザＡのプロファイル情報における、退会日、匿名化の有効期間等の情報から、現時点でその電子メールのデータについて匿名化する必要があるか否かを判別する（ステップＳ１２）。例えば、ユーザＡの退会日が「平成１４年３月１日」、匿名化の有効期間が「退会日から１ヶ月後」と設定されていて、現時点の日付が「平成１４年４月１０日」である場合、現在の日付が匿名化の有効期間内にあるため、匿名化する必要があると判別される。
【００３３】
ステップＳ１２で匿名化する必要があると判別された場合、メーリングリスト管理サーバ１３は、ユーザＡのプロファイル情報の設定内容に従って、処理対象の電子メール中の匿名対象キーワードを、それに対応する置換キーワードに置き換える（ステップＳ１３）。そして、キーワードを置換した後の、電子メールのデータをメーリングリスト管理サーバ１３に送信して（ステップＳ１４）、匿名化処理を終了する。
【００３４】
このキーワードの置き換えを具体的に説明すると、例えば、プロファイル情報に、匿名対象キーワードとしてユーザの実名「佐藤一男」とこれに対応する置換キーワード「さとさと」が設定され、さらに、匿名対象キーワードとしてユーザのメールアドレス「sato@xxxx.co.jp」とこれに対応する置換キーワード「abcd@efgh.ij.kl」が設定されている場合、図９（ａ）に示す電子メールのデータは、図９（ｂ）に示す電子メールのデータに変換される。
【００３５】
なお、ステップＳ１１において、匿名化が不要である旨が設定されていると判別された場合、メーリングリスト匿名化サーバ１５は、処理対象の電子メールのデータをそのままメーリングリスト管理サーバ１３に送信する（ステップＳ１４）。また、ステップＳ１２において、匿名化が不要と判別された場合、メーリングリスト匿名化サーバ１５は、処理対象の電子メールのデータをそのままメーリングリスト管理サーバ１３に送信する（Ｓ１４）。
【００３６】
上記の匿名化処理が施されたユーザＡの電子メールのデータを受信したメーリングリスト管理サーバ１３は、この電子メールの内容を表示する画面情報を要求元のクライアント１１に供給し（図７：Ｌ２４）、クライアント１１は受信した画面情報を表示する。これにより、クライアント１１には、ユーザＡの実名等が匿名化された電子メールのデータが表示される。
【００３７】
以上説明したように、本発明によれば、メーリングリストサービスに加入したユーザがそのサービスを退会した場合に、過去の投稿メールについて、例えば実名、住所、メールアドレス等の個人的な情報について匿名化（秘匿化）することができるためユーザのプライバシーを守り、ひいては円滑なコミュニティを実現することが可能となる。また、匿名化対象となる文字列や、匿名化を有効とする期間等をユーザ毎に設定可能とすることにより、安全性及び柔軟性の高いサービスの提供が可能となる。
【００３８】
なお、プロファイル情報の登録タイミングは任意であり、例えばユーザ退会時でもよく、また、随時受け付けるようにしてもよい。
【００３９】
また、上記説明では、匿名の対象をキーワードで指定するようにしていたが、これに限定されず、匿名対象部分の指定方法は任意である。例えば電子メールのフォーマットに基づいて、匿名対象部分（例えば「発信元アドレス」等）を指定できるようにしてもよい。また、所定の文字列（発信元のメールアドレス等）については、ユーザが指定しなくても自動的に匿名化されるようにしてもよい。
また、電子メール本文に所定項目を記入する際の記入ルール（例えば、住所は文字列「住所：」に続けて記入する等）を予め定めておき、これに基づいて匿名対象部分を指定できるようにしてもよい。
また、例えば、住所、氏名、電話番号等の複数の項目をグループ化し、グループ単位で指定できるようにしてもよい。
【００４０】
また、上記説明では、匿名対象キーワードに対応する置換キーワードを入力するようにしているが、これに限定されず、どのような文字列に置換するかを指定する方法は任意である。例えば、「全て９にする」、「ランダム」等の選択肢を設け、置換方法を選択できるようにしてもよい。
また、置換キーワードが指定されない場合には、メーリングリスト管理サーバ１３が任意の文字列（例えば”＊＊＊＊＊”等）に変換するようにしてもよい。
また、置換キーワードの入力指定を受け付けずに匿名対象キーワードの入力指定だけを受け付けて、メーリングリスト管理サーバ１３が任意の文字列（例えば”＊＊＊＊＊”等）に変換するようにしてもよい。
【００４１】
また、ユーザのメールアドレスが変更された場合には、メーリングリスト匿名化サーバ１５において、該当するユーザのプロファイル情報の匿名対象キーワードに過去のメールアドレスを設定し、また、置換キーワードに新たなメールアドレスを設定することにより、過去の電子メールをメールアドレスの変更に対応した内容で閲覧可能となる。
また、ユーザの氏名、住所、電話番号等の個人情報が変更された場合も上記と同様に、該当するユーザのプロファイル情報において、変更前と変更後の個人情報を匿名対象キーワードと置換キーワードにそれぞれ設定することにより、過去の電子メールを個人情報の変更に対応した内容で閲覧可能となる。
【００４２】
また、メーリングリスト匿名化サーバ１５が、閲覧の要求があった過去の電子メールについてログを取り、外部からの要求に応じて閲覧状況のレポートを提供するようにしてもよい。レポート内容は任意であり、閲覧された電子メールの情報（発信者のメールアドレス、メール内容等）、閲覧要求者の情報（閲覧者のメールアドレス等）、閲覧日時等の情報を含んでも良い。
【００４３】
また、上記説明では、匿名化するか否かをユーザが指定した有効期間で判別するようにしているが、これに限定されず、退会したユーザの過去の電子メールについて閲覧要求があった場合には、電子メールを匿名化するようにしてもよい。この場合、メーリングリスト匿名化サーバ１５は、電子メールの閲覧要求が発生した際に、プロファイル情報に設定された退会日の情報を参照して、そのユーザが退会したか否かを判別し、退会したと判別した場合に、指定部分の匿名化を行う。
【００４４】
また、メーリングリスト匿名化サーバ１５がユーザの退会時期に関する情報を取得する方法は任意であり、例えば、メーリングリスト匿名化サーバ１５自身がクライアント１１から受け付けて、該当するプロファイル情報に設定してもよく、また、退会に関する情報を有する他のサーバから取得してもよい。
また、退会時期に関する情報はプロファイル情報としてプロファイルＤＢ１５２ａで管理しなくてもよく、他の記憶領域（他のコンピュータの記憶領域を含む）で管理してもよい。
【００４５】
また、メーリングリスト管理サーバ１３とメーリングリスト匿名化サーバ１５がＬＡＮ等のネットワークで相互に接続されていてもよく、これらの装置間のデータの送受信は、ＬＡＮ等のネットワークを介して行ってもよい。
【００４６】
各装置やＤＢの構成は、任意に変更可能である。例えば、過去の電子メールを記憶するデータベースサーバを別に設けてもよい。
また、各サーバは、協働して動作する複数台のコンピュータシステムから構成されてもよく、各サーバの機能を１台のコンピュータシステムで統合して実現してもよい。
【００４７】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する各サーバ等を構成してもよい。また、インターネット等のネットワーク上のサーバ装置が有するディスク装置に格納しておき、例えば搬送波に重畳してコンピュータにダウンロード等するようにしてもよい。
また、上述の機能を、ＯＳが分担又はＯＳとアプリケーションの共同により実現する場合等には、ＯＳ以外の部分のみを媒体に格納して配布してもよく、また、搬送波に重畳してコンピュータにダウンロード等してもよい。
【００４８】
【発明の効果】
この発明によれば、メーリングリストサービスにおけるユーザのプライバシーを守り、円滑なコミュニティを実現することができる。
【図面の簡単な説明】
【図１】この発明の実施の形態に係るメーリングシステムの構成を示す図である。
【図２】図１のメーリングシステムで使用されるメーリングリスト管理サーバの構成を示す図である。
【図３】図１のメーリングシステムで使用されるメーリングリスト匿名化サーバの構成を示す図である。
【図４】プロファイル情報を登録する場面における入力画面の一例を示す図である。
【図５】プロファイル情報のデータ構造の一例を示す図である。
【図６】プロファイルを登録する場面におけるメーリングシステムの動作を説明するための図である。
【図７】電子メールの閲覧が要求された場面におけるメーリングシステムの動作を説明するための図である。
【図８】メーリングリスト匿名化サーバによる匿名化処理を説明するためのフローチャートである。
【図９】電子メール中のキーワードの置換処理を具体的に説明するための図である。
【符号の説明】
１０              ネットワーク
１１              クライアント
１３              メーリングリスト管理サーバ
１５              メーリングリスト匿名化サーバ
１３１、１５１    制御部
１３２、１５２    記憶部
１３３、１５３    通信制御部
１３１ａ          メール処理部
１３２ａ          メーリングリストＤＢ
１３２ｂ          過去メールＤＢ
１５１ａ          プロファイル処理部
１５１ｂ          匿名化処理部
【図１】
0003730200.tif 000002
【図２】
0003730200.tif 000003
【図３】
0003730200.tif 000004
【図４】
0003730200.tif 000005
【図５】
0003730200.tif 000006
【図６】
0003730200.tif 000007
【図７】
0003730200.tif 000008
【図８】
0003730200.tif 000009
【図９】
0003730200.tif 000010